(57)【要約】【課題】  リモートシャットダウン移行後、画像形成装置の消費電力を抑えつつ、画像形成装置が主体となってサーバ装置からの要求に応答して電源投入処理を行う。【解決手段】    サーバ装置から通信制御部が受信する電源制御指示に従い電源制御を行う画像形成装置において、所定時間経過毎に、通信手段がサーバ装置と通信可能な状態になる毎に、画像形成装置を制御するコントローラを通電する第２の電源をオンさせるかどうかを前記サーバ装置に問い合わせる（Ｓ１０５）。そして、問い合わせに対してサーバ装置から前記第２の電源をオンさせる応答を受信するまで、第１の電源から通信制御部への通電を所定時間経過毎に繰り返す（Ｓ１０１〜Ｓ１０５）。【選択図】  図５
2013043419.tif 000002
【特許請求の範囲】
【請求項１】
サーバ装置から受信する電源制御指示に従い電源制御を行う画像形成装置であって、
前記サーバ装置と通信する通信手段と、
第１の電源から前記通信手段への通電を所定時間経過毎に繰り返す電源制御手段と、
前記電源制御手段により前記通信手段が前記サーバ装置と通信可能な状態になる毎に、画像形成装置を制御するコントローラを通電する第２の電源をオンさせるかどうかを前記サーバ装置に問い合わせる問合せ手段と、を備え、
前記電源制御手段は、前記問合せ手段による問い合わせに対して前記サーバ装置から前記第２の電源をオンさせる応答を受信するまで、第１の電源から前記通信手段への通電を所定時間経過毎に繰り返すことを特徴とする画像形成装置。
【請求項２】
前記所定時間を設定する設定手段を備えることを特徴とする請求項１記載の画像形成装置。
【請求項３】
前記電源制御手段は、常時通電されるタイマと、前記タイマが所定時間経過毎に出力するタイマ信号に同期して前記第１の電源をオン／オフする電源切替え手段を備えることを特徴とする請求項１記載の画像形成装置。
【請求項４】
前記サーバ装置から前記通信手段を起動させる予定時刻を取得する取得手段を備え、
前記電源制御手段は、前記取得手段が取得した予定時刻に第１の電源から前記通信手段への通電を開始することを特徴とする請求項１記載の画像形成装置。
【請求項５】
サーバ装置から通信手段が受信する電源制御指示に従い電源制御を行う画像形成装置の制御方法であって、
第１の電源から前記通信手段への通電を所定時間経過毎に繰り返す電源制御工程と、
前記電源制御工程により前記通信手段が前記サーバ装置と通信可能な状態になる毎に、画像形成装置を制御するコントローラを通電する第２の電源をオンさせるかどうかを前記サーバ装置に問い合わせる問合せ工程と、を備え、
前記電源制御工程は、前記問合せ工程による問い合わせに対して前記サーバ装置から前記第２の電源をオンさせる応答を受信するまで、第１の電源から前記通信手段への通電を所定時間経過毎に繰り返すことを特徴とする画像形成装置の制御方法。
【請求項６】
請求項５に記載の画像形成装置の制御方法をコンピュータに実行させることを特徴とするプログラム。
【発明の詳細な説明】
【技術分野】
【０００１】
本発明は、省電力制御を行う画像形成装置、画像形成装置の制御方法及びプログラムに関するものである。
【背景技術】
【０００２】
従来、画像形成装置やデータ処理装置を遠隔操作により電源を投入する方式が知られているが、この方式は、遠隔地にあるサーバ装置からの電源投入を要求する通信データの受信を行うために、常時電源オン状態で受信待機している通信制御部を用いている（特許文献１参照）。
【０００３】
また、消費電力低減のために補助電源に接続された信号線監視装置が電源オフ時に受信待機し、信号の変化の検出のみで該自コンピュータシステムの主電源を投入するというものが知られている（特許文献２参照）。
【先行技術文献】
【特許文献】
【０００４】
【特許文献１】特開平６−８５８６７号公報
【特許文献２】特開平１０−２４３０４３号公報
【発明の概要】
【発明が解決しようとする課題】
【０００５】
しかしながら、上記の技術では、電源投入の可能性が少ない深夜などの時間帯にも常時電源に接続され受信待機状態になっているために、無駄な消費電力が多くなってしまう。
すなわち、電源投入を要求する通信データをサーバ装置から受信するために最低限必要なモジュールに、常時電力供給を行っておかなければいけなかった。
【０００６】
本発明は、上記の課題を解決するためになされたもので、本発明の目的は、画像形成装置の消費電力を抑えつつ、サーバ装置からの要求に応答して電源投入処理を行える仕組みを提供することである。
【課題を解決するための手段】
【０００７】
上記目的を達成する本発明の画像形成装置は以下に示す構成を備える。
サーバ装置から受信する電源制御指示に従い電源制御を行う画像形成装置であって、前記サーバ装置と通信する通信手段と、第１の電源から前記通信手段への通電を所定時間経過毎に繰り返す電源制御手段と、前記電源制御手段により前記通信手段が前記サーバ装置と通信可能な状態になる毎に、画像形成装置を制御するコントローラを通電する第２の電源をオンさせるかどうかを前記サーバ装置に問い合わせる問合せ手段と、を備え、前記電源制御手段は、前記問合せ手段による問い合わせに対して前記サーバ装置から前記第２の電源をオンさせる応答を受信するまで、第１の電源から前記通信手段への通電を所定時間経過毎に繰り返すことを特徴とする。
【発明の効果】
【０００８】
本発明によれば、リモートシャットダウン移行後、画像形成装置の消費電力を抑えつつ、サーバ装置からの要求に応答して電源投入処理を行える。
したがって、従来のようにサーバ装置との通信処理を担うデバイスに電力を常時供給せずに済み、さらなる省電力効果を向上できる。
【図面の簡単な説明】
【０００９】
【図１】本実施形態を示す画像形成装置の構成を示す図である。
【図２】図１に示した画像形成装置の制御部の全体構成を示すブロック図である。
【図３】図２に示したコントローラ制御部の構成を示すブロック図である。
【図４】図２に示した画像形成装置の操作部の構成を表す図である。
【図５】画像形成装置の制御方法を説明するフローチャートである。
【図６】画像形成装置の制御方法を説明するフローチャートである。
【発明を実施するための形態】
【００１０】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
＜システム構成の説明＞
〔第１実施形態〕
【００１１】
図１は、本実施形態を示す画像形成装置の構成を示す図である。本例に示す画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着されている。また、フィニッシャ６００の上部には、インサータ７００が設けられている。なお、画像形成装置は、後述する通信制御部４５０を介してサーバ装置４５３と通信可能に構成され、後述する起動処理を制御するためのパケットを取得する。また、本実施形態に示す画像形成装置は、サーバ装置から受信する電源制御指示に従い電源制御を行う際に、後述する図５、図６に示すフローチャートに従い通信制御部４０５によるサーバ装置４５３に対する問い合わせ処理を実行する。
【００１２】
図１において、原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法には２つの読取モードがある。まず、原稿台ガラス２０５上の読取位置Ｒ１へ原稿の後端を搬送、停止させ、スキャナユニット２０６を左から右へ移動させることにより、原稿の読取りを行う原稿固定読取モード（第１の読取モード）がある。また、原稿をある読取り速度で読取位置Ｒ１へ搬送し、スキャナユニット２０６を読取位置Ｒ１で固定したまま原稿の読取りを行う原稿流し読取モード（第２の読取モード）がある。その後、いずれのモードの場合も、読取った原稿を排紙トレイ１０６に排出する。
【００１３】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１４】
レンズ２０７を介してイメージセンサ２０８により読取られた原稿の画像は、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１５】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１６】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１７】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１８】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００１９】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
コントローラ制御部４００はイメージリーダ２００、プリンタ部３００、折り装置５００およびフィニッシャ６００と通信を行い、画像形成装置全体の制御を司る。
図２は、図１に示した画像形成装置の制御部の全体構成を示すブロック図である。本例は、画像形成装置全体を制御するコントローラ制御部４００を中心に構成されている。
【００２０】
図２において、コントローラ制御部４００には、操作部８００の設定やサーバ装置４５３からの指示で原稿搬送装置１００を制御する原稿搬送装置制御部１０１がある。また、コントローラ制御部４００はイメージリーダ２００を制御するイメージリーダ制御部２０１と通信を行い入力される原稿の画像データを取得する。さらに、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００２１】
通信Ｉ／Ｆ４５１はサーバ装置４５３を接続するインターフェース４であり、例えばネットワークやＵＳＢなどの外部バス４５２で接続しサーバ装置４５３からのプリントデータを画像に展開して出力することを行う。
図３は、図２に示したコントローラ制御部４００の構成を示すブロック図である。
【００２２】
図３において、コントローラ制御部４００は、主制御部４０８で制御され、オペレーティングシステム（以下、ＯＳ）で各種の入出力処理、通信処理が制御される。また、通信制御部４０５は、ネットワークやＵＳＢインターフェースを制御して、サーバ装置、データ処理装置と通信可能に接続される。なお、通信制御部４０５は、電源制御タイマ４０２を起動するタイミングを設定することが可能に構成されている。
【００２３】
主制御部４０８は、原稿搬送装置制御部１０１、イメージリーダ制御部２０１、プリンタ制御部３０１、折り装置制御部５０１、フィニッシャ制御部６０１、操作部８００と接続され制御を司る。第１の電源ＯＮ／ＯＦＦ切り替え器４０３は、通信制御部４０５に電源を供給している第１の電源４０４のＯＮ／ＯＦＦを切り替える。本実施形態において、電源制御手段の一例として、常時通電される電源制御タイマ４０２と、電源制御タイマ４０２が所定時間経過毎に出力するタイマ信号に同期して第１の電源４０４をオン／オフする電源切替えるための第１の電源ＯＮ／ＯＦＦ切り替え器４０３を備える。
第２の電源ＯＮ／ＯＦＦ切り替え器４０６は主制御部４０８に電源を供給している第２の電源４０７のＯＮ／ＯＦＦを切り替える。
【００２４】
補助電源４０１は、電源制御タイマ４０２に常時電源を供給し、電源制御タイマ４０２は独立に動作できる構成になっている。電源制御タイマ４０２は、第１の電源ＯＮ／ＯＦＦ切り替え器４０３に接続され、第１の電源４０４のＯＮ／ＯＦＦをタイマ制御する。
【００２５】
サーバ装置４５３との通信処理を担う通信制御部４０５は、第２の電源ＯＮ／ＯＦＦ切り替え器４０６に接続され、通信Ｉ／Ｆ４５１を介して受信したパケットを判断して第２の電源４０７のＯＮ／ＯＦＦを制御する。また、通信制御部４０５は電源制御タイマ４０２の次回起動時刻を設定する。
【００２６】
図４は、図２に示した画像形成装置の操作部８００の構成を表す図である。
図４において、ＬＣＤ表示部９００は、ＬＣＤ上にタッチパネルシートが貼られており、システムの操作画面を表示するとともに、表示してあるキーがユーザの操作に従って押されるとその位置情報をコントローラ制御部４００に伝える。テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザが省電力モードへの移行、復帰を行うのに使用する。
【００２７】
また、８０５はガイドキーであり、キーの機能が解らないとき押すとそのキーの説明が表示される。８０６はコピーモードキーであり、複写を行うときに押す。８０７はファクスキーであり、ファクスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
以下、本実施形態を示す画像形成装置のリモート電源制御方法および利用方法に関して詳細に説明する。
【００２８】
図５は、本実施形態を示す画像形成装置の制御方法を説明するフローチャートである。本例は、画像形成装置が起動命令パケットを外部のサーバより受信し、第２の電源４０７をＯＮさせるリモート起動処理例である。また、本処理は、通信制御部４０５がサーバ装置４５３からリモートオフ指示を受信した後、画像形成装置本体がシャットダウンされた後の処理である。このシャットダウンにより、主制御部４０８への電源である第２の電源４０７がオフ状態となる。
また、本実施形態において、画像形成装置に電源が供給されていない状態で、補助電源４０１からの通電で電源制御タイマ４０２のみ動作可能状態であって、他のデバイスへの通電は制限される電源ＯＦＦ状態にあるものとする。
まず、コントローラ制御部４００内の通信制御部４０５は、第１の電源４０４がＯＮされるまで電源ＯＦＦされている状態である（Ｓ１０１）。
【００２９】
電源制御タイマ４０２が第１の電源４０４をＯＮすると、第１の電源４０４から電源が供給された通信制御部４０５は起動処理を行う（Ｓ１０２）。例えば、電源制御タイマ４０２は一定間隔の時間で第１の電源４０４をＯＮするように第１の電源ＯＮ／ＯＦＦ切り替え器４０３を駆動する。
通信制御部４０５の起動処理が終わると、通信制御部４０５は、通信Ｉ／Ｆ４５１を介して、サーバ装置４５３に画像形成装置を起動させるか否かを問い合わせる（Ｓ１０３）。
この通信制御部４０５による問い合わせ後、サーバ装置４５３からの応答パケットを受信するまで待機する（Ｓ１０５）。このように、本実施形態では、電源制御タイマ４０２が第１の電源４０４から通信制御部４０５への通電を所定時間経過毎に繰り返す電源制御を実行する。つまり、電源制御タイマ４０２が第１の電源４０４を所定時間経過毎にオンして、通信制御部４０５をサーバ装置４５３と通信可能な状態させる。そして、通信制御部４０５が画像形成装置を制御するコントローラ（主制御部４０８）を通電する第２の電源４０７をオンさせるかどうかをサーバ装置４５３に問い合わせを行う。
【００３０】
そして、一定時間が経過してもサーバ装置４５３から応答パケットが無いと通信制御部４０５が判断した場合、電源制御タイマ４０２は、第１の電源４０４から通信制御部４０５への電源をＯＦＦする（Ｓ１０４）。そして、Ｓ１０１へ戻り、電源制御タイマ４０２に設定される一定間隔の時間で再び第１の電源４０４をＯＮする。
一方、Ｓ１０５で、一定時間内にサーバ装置４５３から応答パケットがあったと通信制御部４０５が判断した場合、通信制御部４０５は応答されてきたパケットを判定して、第２の電源４０７をＯＮするか否かを判断する（Ｓ１０６）。
【００３１】
ここで、応答されてきたパケットが第２の電源４０７をＯＮさせるパケットであると通信制御部４０５が判断した場合は、第２の電源４０７をＯＮして（Ｓ１０７）、本処理を終了する。これにより、主制御部４０８が起動して、画像形成に関わる制御部を起動して、画像形成可能なアイドル状態に遷移する。
一方、Ｓ１０６で、サーバ装置４５３から受信したパケットが第２の電源４０７をＯＮさせないパケットであると通信制御部４０５が判断した場合は、電源制御タイマ４０２は通信制御部４０５の電源をＯＦＦする（Ｓ１０４）。そして、Ｓ１０１へ戻り、一定間隔の時間で再び第１の電源４０４をＯＮする。
これにより、サーバ装置から４５３から受信するパケットでシャットダウン状態に移行した後は、通信制御部４０５が主体となって、サーバ装置４５３に起動の可否を問い合わせる。そして、この問い合わせに対して、サーバ装置４５３より第２の電源をＯＮするためのパケットの受信したら、画像形成可能な状態とするため、第２の電源４０７をオン状態に遷移させることができる。なお、本例は、通信制御部４０５を常時稼働状態とするのではなく、設定された予定時刻なると通信制御部４０５を第１の電源４０４で通電してサーバ装置４５３へ第２の電源４０７をオンするかどうかを問い合わせる。このため、本通信処理のための消費電力は、１Ｗ以下に抑えることが可能であり、従来のような問い合わせ処理で消費する電力よりも省電力効果を向上できる。
【００３２】
〔第２実施形態〕
なお、上記実施形態では、Ｓ１０４からＳ１０１に戻って、Ｓ１０２〜Ｓ１０４の繰り返しタイミングがあらかじめ設定された時間で制御する場合について説明した。しかしながら、あらかじめ設定されるスケジュールで変更できるように構成してもよい。以下、その実施形態について説明する。
図６は、本実施形態を示す画像形成装置の制御方法を説明するフローチャートである。本例は、画像形成装置が起動命令パケットを外部のサーバより受信し、第２の電源４０７をＯＮさせるリモート起動処理例である。また、本実施形態において、画像形成装置に電源が供給されていない状態で、補助電源４０１からの通電で電源制御タイマ４０２のみ動作可能状態であって、他のデバイスへの通電は制限される電源ＯＦＦ状態にあるものとする。
まず、コントローラ制御部４００内の通信制御部４０５は、第１の電源４０４がＯＮされるまで電源ＯＦＦされている状態である（Ｓ２０１）。
【００３３】
次に、電源制御タイマ４０２が第１の電源４０４をＯＮすると、電源を供給された通信制御部４０５は起動処理を行う（Ｓ２０２）。例えば、電源制御タイマ４０２は一定時間が経過したときに第１の電源４０４をＯＮする。また、サーバ装置４５３から通信Ｉ／Ｆ４５１を介して、ユーザが電源制御タイマ４０２に設定した時刻に第１の電源４０４をＯＮする場合もある。
次に、通信制御部４０５の起動処理が終わると、通信制御部４０５は通信Ｉ／Ｆ４５１を介して、サーバ装置４５３に画像形成装置を起動させるか否かを問い合わせる（Ｓ２０３）。
【００３４】
ここで、サーバ装置４５３から応答が無いと通信制御部４０５が判断した場合、通信制御部４０５は電源制御タイマ４０２に次回の電源ＯＮ時刻を設定するとともに、第１の電源４０４をＯＦＦして（Ｓ２０４）、Ｓ２０１へ戻る。
例えば、一定時間後に電源ＯＮする設定がある。また、特定の時刻に電源ＯＮする設定の場合もある。
一方、Ｓ２０５で、サーバ装置４５３から応答があったと通信制御部４０５が判断した場合、通信制御部４０５は応答されてきたパケットを判定して、第２の電源４０７をＯＮするか否かを判断する（Ｓ２０６）。
【００３５】
ここで、応答されてきたパケットが第２の電源４０７をＯＮさせるパケットであると通信制御部４０５が判断した場合は、第２の電源４０７をＯＮして（Ｓ２０７）、本処理を終了する。
一方、第２の電源４０７をＯＮさせないパケットであると通信制御部４０５が判断した場合は、通信制御部４０５が次回の電源ＯＮ時刻を電源制御タイマ４０２に設定するとともに、第１の電源４０４をＯＦＦして（Ｓ２０４）、Ｓ２０１へ戻る。
このとき、電源制御タイマ４０２の設定は、一定時間後に電源ＯＮする設定の場合がある。また、特定時刻に電源ＯＮする設定の場合もある。
なお、通信制御部４０５がサーバ装置４５３に問い合わせる間隔は、ユーザが使用する画像形成装置の稼働履歴等を参照して動的に変更できるように構成してもよい。
これにより、サーバ装置から４５３から受信するパケットでシャットダウン状態に移行した後は、通信制御部４０５が主体となって、設定された間隔でサーバ装置４５３に起動の可否を問い合わせる。そして、この問い合わせに対して、サーバ装置４５３より第２の電源をＯＮするためのパケットを受信したら、画像形成可能な状態とするため、第２の電源４０７をオン状態に遷移させることができる。
また、電源制御タイマ４０２を起動させる予定時刻をサーバ装置４５３から取得して、当該予定時刻で第２の電源４０７を通電するかどうかの問い合わせを実行するように制御してもよい。これにより、サーバ装置４５３からのシャットダウン指示で通信制御部４０５がオフ状態となって、ネットワーク上で通信していない状態に遷移しても、画像形成装置が主体となって、通信制御部４０５を起動させて問合わせを行うことができる。
なお、電源制御タイマ４０２を起動させる予定時刻をサーバ装置４５３以外のネットワーク機器から取得できるように構成してもよい。その際、通信制御部４０５は取得先テーブルを参照して、電源制御タイマ４０２を起動させる予定時刻の取得先を決定するものとする。つまり、サーバ装置４５３から通信制御部４０５を起動させる予定時刻を取得して、電源制御タイマ４０２が取得した予定時刻に第１の電源４０４から通信制御部４０５への通電を開始して、上述した問い合わせ処理を行う。これにより、予定時刻の融通性が高く、ユーザの使用環境に適応した問い合わせ処理が可能となる。
【００３６】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３７】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３８】
４００  コントローラ制御部
４０２  電源制御タイマ
４０４  第１の電源
４０５  通信制御部
４０７  第２の電源
【図１】
2013043419.tif 000003
【図２】
2013043419.tif 000004
【図３】
2013043419.tif 000005
【図４】
2013043419.tif 000006
【図５】
2013043419.tif 000007
【図６】
2013043419.tif 000008